(57)【要約】【課題】一生の長い間にわたって変化することなく記念品を保存できる誕生記念品収納箱を実現する。【解決手段】胡桃のむく材で構成した本体部１と蓋部２を、蝶番７で開閉可能に連結する。蓋部２に、母子手帳などの記念資料を収容する。台板５をかぶせて、新生児の写真を載せる。写真にアクリル板４をかぶせて、四隅をねじで留める。本体部１に、オルゴールを取り付ける。本体部１の小収納部８に、臍の緒を収納する。大収納部９に、手形レリーフブロンズ板３を収納して、四隅をねじで留める。【選択図】図２
2005095223.tif 000002
【特許請求の範囲】
【請求項１】
蝶番で開閉可能に連結された蓋部と本体部とからなる誕生記念品収納箱であって、前記蓋部は、写真を取り付ける部材と母子手帳などを収める記念資料収容部とを備え、前記本体部は、手形レリーフブロンズ板を取り付ける部材と、記念品収容部とを備えることを特徴とする誕生記念品収納箱。
【請求項２】
前記本体部に、オルゴールを取り付けたことを特徴とする請求項１記載の誕生記念品収納箱。
【請求項３】
前記蓋部と前記本体部とを胡桃のむく材で構成したことを特徴とする請求項１記載の誕生記念品収納箱。
【請求項４】
蝶番で開閉可能に連結された蓋部と本体部とからなるペット記念品収納箱であって、前記蓋部は、写真を取り付ける部材と記念資料収容部とを備え、前記本体部は、足形レリーフブロンズ板を取り付ける部材と、記念品収容部とを備えることを特徴とするペット記念品収納箱。
【請求項５】
前記蓋部と前記本体部とを胡桃のむく材で構成したことを特徴とする請求項４記載のペット記念品収納箱。
【発明の詳細な説明】
【技術分野】
【０００１】
本発明は、誕生記念品収納箱に関し、特に、ブロンズの手形レリーフと写真と記念品を収納する誕生記念品収納箱に関する。
【背景技術】
【０００２】
従来、子供の誕生記念に、臍の緒、手形、足形、写真、母子手帳、産声の録音、胎内超音波エコー画像、産毛の筆、誕生日の新聞などを、桐箱に収めたり、アルバムに貼ったり、額縁に入れたりして、保存している。手形や足形を記念に残す方法としては、紙に掌や足の裏の拓本をとる方法と、粘土などで型を採ってレリーフを作る方法と、ガラスや金属板にサンドブラストで掌紋を写す方法などがある。種々の誕生記念品をまとめて保存するために、展示機能を兼ねた誕生記念品収納箱を利用することがある。従来の誕生記念品収納箱の例をいくつかあげて、簡単に説明する。
【０００３】
特許文献１に開示された「包装用容器」は、写真や臍の緒などの出産に関連した記念品をまとめて機能的に保管することが可能な包装用容器である。図６に示すように、ボックス本体には収納部が有り、収納部の上面には開口が有る。蓋体は、ボックス本体の側部上端に、回動可能に連結されている。蓋体の内面には、写真を収納する写真フレーム部が備えられている。ボックス本体内部には、上面が開閉可能な臍の緒収納部が備えられている。蓋体内面の写真フレーム部に写真を収納する。臍の緒収納部に臍の緒を収納する。ボックス本体内の収納部に他の記念品を収納する。包装用容器ひとつに記念品をまとめて機能的に保管することができるので、写真や臍の緒などがバラバラとなって行方が分からなくなることがない。
【０００４】
特許文献２に開示された「写真立て付き収納箱」は、斬新で機能的な写真立て付き収納箱である。図７に示すように、蓋を開閉できるように蝶番で箱本体に取り付ける。蓋を開いて傾斜した状態で固定するための支持具を取り付ける。写真や手形や足形や胎毛記念筆などの記念品を収める台板と、保護用の透明板を、蓋の内部に出し入れ可能に収納する。箱本体の上部に、額縁載置部を形成する。写真や手形や足形や胎毛記念筆などの記念品を収納できる額縁を、額縁載置部に載せる。額縁の上面側には透明板を嵌め込む。箱本体前面側には、ベビー靴や臍の緒やおしゃぶりなどの記念品を収納する引出しを取り付ける。記念品の収納と展示に使用することができる。
【０００５】
特許文献３に開示された「おいたちの小箱」は、臍の緒や乳歯や母子手帳などを一括して収納し、紛失したり損傷したりすることなく長期間保存できる収納箱である。桐材製のケースは、内底部に母子手帳が収納できる大きさに形成されている。このケースの内側に、桐材製の内箱が嵌込まれている。図８に示すように、桐材製の内箱の中央部に、へその緒を収納する凹部が設けられている。その周囲に、上下の歯列に対応するように、抜歯を収納する凹部が設けられている。この内箱の上面に、メモリーシートが着脱できるように嵌められている。内箱及びメモリーシートを覆うようにして、桐材製のカバーがケースに嵌められている。
【０００６】
また、ペットの記念品を収納して保存したり展示したりするための収納具や記念碑なども、特許文献４、５のように知られている。
【特許文献１】特開2000-327057号公報
【特許文献２】登録実用新案第3036362号公報
【特許文献３】特開2002-145369号公報
【特許文献４】特開2000-217695号公報
【特許文献５】特開2002-102052号公報
【発明の開示】
【発明が解決しようとする課題】
【０００７】
しかし、従来の誕生記念品収納箱では、一生の長い間にわたって変化することなく記念品を保存することが困難であるという問題があった。手形の拓本は平面状であり、記念品としての価値が乏しい。粘土やプラスチックで型採りした手形レリーフは重厚さがなく、大切な記念品としての感覚をもちにくい。本発明は、上記従来の問題を解決して、一生の長い間にわたって変化することなく記念品を保存できる誕生記念品収納箱を実現することを目的とする。
【課題を解決するための手段】
【０００８】
上記の課題を解決するために、本発明では、蝶番で開閉可能に連結された蓋部と本体部とからなる誕生記念品収納箱の蓋部に、写真を取り付ける部材と母子手帳などを収める記念資料収容部とを備え、本体部に、手形レリーフブロンズ板を取り付ける部材と、記念品収容部とを備える構成とした。
【発明の効果】
【０００９】
本発明では、上記のように構成したことにより、一生の長い間にわたって変化することなく記念品を保存できる誕生記念品収納箱を実現できる。
【発明を実施するための最良の形態】
【００１０】
以下、本発明を実施するための最良の形態について、図１〜図５を参照しながら詳細に説明する。
【実施例１】
【００１１】
本発明の実施例１は、胡桃のむく材で構成した蓋部と本体部を蝶番で開閉可能に連結し、蓋部に、写真を取り付ける部材と母子手帳収容部とを備え、本体部に、手形レリーフブロンズ板とオルゴールを取り付け、記念品収容部を設けた誕生記念品収納箱である。
【００１２】
本発明の実施例１における誕生記念品収納箱の構成を説明する。図１は、本発明の実施例１における誕生記念品収納箱の３面図である。図２（ａ）は、誕生記念品収納箱を180°開いて水平に置いた状態を示す図である。図２（ｂ）は、誕生記念品収納箱を120°程度開いて立てた状態を示す図である。図３は、誕生記念品収納箱の蓋部の分解斜視図である。図４は、誕生記念品収納箱の本体部の分解斜視図である。
【００１３】
図１〜図４において、本体部１は、手形レリーフブロンズ板とオルゴールと臍の緒を収納する部分である。蓋部２は、写真と母子手帳などの記念品を収容する部分である。本体部１と蓋部２は、胡桃のムク材で構成する。手形レリーフブロンズ板３は、新生児の手形と足形と母親の手形をレリーフにしたブロンズ板である。アクリル板４は、写真を押える透明板である。台板５は、写真を載せる台であり、母子手帳などの記念品を収容するための仕切板である。オルゴール６は、蓋部２を開いたときに音楽を奏でる装置である。蝶番７は、本体部１と蓋部２を180°まで開くように、開閉自在に結合する手段である。小収納部８は、臍の緒を収納する部分である。大収納部９は、手形レリーフブロンズ板３を収納する部分である。
【００１４】
手形レリーフブロンズ板３は、周知の方法により作成することができる。例えば、新生児の手形と足形と母親の手形を、粘土などを利用して採取する。手形を押した粘土から型を採り、鋳型を作る。鋳型に溶融ブロンズを流し込んで、手形のレリーフを作る。手形レリーフブロンズ板３の表面に蝋を塗り、酸化を防止する。
【００１５】
以下に、手形・足形ブロンズ製作手順を詳しく説明する。市販の抗菌剤入り紙粘土にベビーオイル微量を添加する。ベビーオイルを添加する理由は、粘土のべとつきを抑えるためである。粘土を柔らかくするために水を加えて練り込むが、粘土は水を加えれば加えるほどべとつくので、べとつきを抑えるために、微量のオイルを添加する。オイル添加量が多すぎると、このあとにシリコン雌型をつくるとき、シリコンが硬化しなくなる。このオイルの添加量に規定の量はない。練りながら手の感触で確かめながら添加する。また、顔料を加えて少し色を付ける。粘土は、そのままだと白色なので、取った足形の形が見えにくくなってしまう。そのため、少し色を付け、形を見えやすくする。市販のポリエチレン製食品容器に粘土を詰める。このとき堅く詰めてしまうと、足形が取れにくくなる。適度に粘土の内部に空気の層ができるように粘土を敷き詰める。赤ちゃんの足にベビーパウダーを軽くつけ、足形を取る。
【００１６】
容器に入ったままの粘土にシリコンをかけ、硬化させ、シリコン雌型を取る。硬化したシリコンにロウを張り込み、ロウ原型を制作する。足形ロウ原型を250mm×200mm×６mm厚のロウ板にはめ込み、鋳造用原型を制作する。ロウ原型を鋳造用のベース板に貼り付け、表型用の型枠をかぶせ、鋳型砂（無機CO2硬化型）を充填する。砂を充填したらCO2ガスを吸収させ、砂を硬化させる。裏型用の型枠を定盤の上にのせ、こちらも鋳型砂（無機CO2硬化型）を充填し、硬化させ平面の裏型を制作する。硬化した表型から原型を取り外し、金属が流れる「湯道」を彫り込む。型の金属が流れるところに「塗型剤」を塗布する。表型・裏型をあわせて型は完成する。
【００１７】
美術青銅BC-７を1250℃まで溶解し、型に流す。金属が冷えたら（２時間後くらい）、型を壊し品物を取り出す。金属が流れた「湯道」を切断する。全体のサイズをグラインダーで調整する。ねじ止め用の穴を４カ所開ける。品物表面の足型以外の部分をグラインダーで面出しをする。面がでたら、ランダムサンダーの＃100をかける。足形部に軽くサンドペーパーをかけて、足形部の凹凸を強調する仕上げを施す。全体に硫化カリウムを塗布し、黒色にする。ナイロンたわしを使用し、足形部の凸部分と、平面部分の黒色を剥がす。品物にバーナーをあててかるく暖め、精製蜜蝋を塗布しコーティングとする。これで完成である。
【００１８】
誕生記念品収納箱の使用方法を説明する。図３に示すように、蓋部２に、新生児を撮影したＤＶＤや母子手帳などの記念資料を収容する。台板５をかぶせて、新生児の写真を載せる。写真にアクリル板４をかぶせて、四隅をねじで留める。図４に示すように、本体部１の小収納部８に、臍の緒を収納する。大収納部９に、手形レリーフブロンズ板３を収納して、四隅をねじで留める。誕生記念品収納箱をしまっておく場合は、図１に示すように、蓋部２を閉じて留め金を掛ける。記念資料などを出し入れする場合は、図２（ａ）に示すように、水平において180°開き、アクリル板４と写真と台板５を取り外す。飾っておく場合は、図２（ｂ）に示すように、蓋部２を120°程度開いて、立てておく。
【００１９】
上記のように、本発明の実施例１では、誕生記念品収納箱を、胡桃のむく材で構成した蓋部と本体部を蝶番で開閉可能に連結し、蓋部に、写真を取り付ける部材と母子手帳収容部とを備え、本体部に、手形レリーフブロンズ板とオルゴールを取り付け、記念品収容部を設けた構成としたので、一生の長い間にわたって変化することなく記念品を保存できる誕生記念品収納箱を実現できる。
【実施例２】
【００２０】
本発明の実施例２は、胡桃のむく材で構成した蓋部と本体部を蝶番で開閉可能に連結し、蓋部に、写真を取り付ける部材と記念資料収容部とを備え、本体部に、足形レリーフブロンズ板を取り付け、記念品収容部を設けたペット記念品収納箱である。
【００２１】
本発明の実施例２におけるペット記念品収納箱の基本的な構成は、実施例１と同じである。図５（ａ）は、ペット記念品収納箱を180°開いて水平に置いた状態を示す図である。図２（ｂ）は、ペット記念品収納箱を120°程度開いて立てた状態を示す図である。
【００２２】
図５において、本体部１は、足形レリーフブロンズ板を取り付けてペット記念品を収納する部分である。蓋部２は、ペットの写真と記念資料を収容する部分である。本体部１と蓋部２は、胡桃のムク材で構成する。足形レリーフブロンズ板10は、ペットの足形をレリーフにしたブロンズ板である。小収納部８は、首輪などのペット記念品を収納する部分である。大収納部９は、足形レリーフブロンズ板10を収納する部分である。足形レリーフブロンズ板10の基本的な作成方法は、実施例１と同じである。
【００２３】
ペット記念品収納箱の使用方法を説明する。図５に示すように、蓋部２に、ペットを撮影したＤＶＤなどの記念資料を収容する。台板５をかぶせて、ペットの写真を載せる。写真にアクリル板４をかぶせて、四隅をねじで留める。本体部１の小収納部８に、首輪などのペットの記念品を収納する。大収納部９に、足形レリーフブロンズ板10を収納して、四隅をねじで留める。ペット記念品収納箱をしまっておく場合は、蓋部２を閉じて留め金を掛ける。記念資料などを出し入れする場合は、図５（ａ）に示すように、水平において180°開き、アクリル板４と写真と台板５を取り外す。飾っておく場合は、図５（ｂ）に示すように、蓋部２を120°程度開いて、立てておく。
【００２４】
上記のように、本発明の実施例２では、ペット記念品収納箱を、胡桃のむく材で構成した蓋部と本体部を蝶番で開閉可能に連結し、蓋部に、写真を取り付ける部材と記念資料収容部とを備え、本体部に、足形レリーフブロンズ板を取り付け、記念品収容部を設けた構成としたので、長い間にわたって変化することなくペットの記念品を保存できるペット記念品収納箱を実現できる。
【産業上の利用可能性】
【００２５】
本発明の誕生記念品収納箱は、一生にわたって変化することなく記念品を保存するためのものとして最適である。また、ペット記念品収納箱は、ペットの記念品を保存するためのものとして最適である。
【図面の簡単な説明】
【００２６】
【図１】本発明の実施例１における誕生記念品収納箱の３面図、
【図２】本発明の実施例１における誕生記念品収納箱を180°開いて水平に置いた状態を示す図と、120°程度開いて立てた状態を示す図、
【図３】本発明の実施例１における誕生記念品収納箱の蓋部の分解斜視図、
【図４】本発明の実施例１における誕生記念品収納箱の本体部の分解斜視図、
【図５】本発明の実施例２におけるペット記念品収納箱を180°開いて水平に置いた状態を示す図と、120°程度開いて立てた状態を示す図、
【図６】従来の誕生記念品収納箱の概念図、
【図７】従来の他の誕生記念品収納箱の概念図、
【図８】従来のさらに他の誕生記念品収納箱の概念図である。
【符号の説明】
【００２７】
１  本体部
２  蓋部
３  手形レリーフブロンズ板
４  アクリル板
５  台板
６  オルゴール
７  蝶番
８  小収納部
９  大収納部
10  足形レリーフブロンズ板
【図１】
2005095223.tif 000003
【図２】
2005095223.tif 000004
【図３】
2005095223.tif 000005
【図４】
2005095223.tif 000006
【図５】
2005095223.tif 000007
【図６】
2005095223.tif 000008
【図７】
2005095223.tif 000009
【図８】
2005095223.tif 000010